(57)【要約】  【課題】  【解決手段】ディスプレイスタンド（１０）は、内部に設けられた回動ボード（２８）により自ら直立する支持ベース（１２）を具える。この回動ボードは弾力コード（３３）に連結されており、ベースに直交する水平位置とベースのフロントパネルに近接する下側垂直位置との間で回動可能である。この回動ボードは、ベースのリアパネルに設けられた水平スロット開口に係止し、これによりベースが直立状態に保持される。ベースのサイドパネル（１９，２０）もまた、それぞれ中間部に設けられた２本の縦の折り曲げ線に沿って内側に折り畳むことができる。第２の弾力コード（３４）がこれら折り曲げ線間に渡されており、回動ボードが下側に引っ張られて水平スロット開口から外れたときにサイドパネルが内側に引っ張られ折り畳まれる。ディスプレイトレイ（１１）はベースの上に前に傾けて取り付けられ、ベースを畳んでトレイ内に配置して輸送、運送、収納することができる。【選択図】図１
2007504849.tif 000002
【特許請求の範囲】
【請求項１】
フロントパネルと、リアパネルと、２枚の対向するサイドパネルとを具える空胴で折り畳み可能な自立型の支持ベースと、
前記サイドパネルの中央に設けられ当該サイドパネルの高さ全体に延在する縦の折り曲げ線と、
前記ベースの周囲に、前記フロントパネル、リアパネル、サイドパネルのすべてにおいて同一水平面上に設けられた水平折り曲げ線と、
前記ベース内において前記水平折り曲げ線の下に配置される回動ボードであって、一端が前記フロントパネルに取り付けられており、前記フロントパネルに対して前記ベースに直交する水平位置と前記フロントパネルに近接する下側垂直位置との間で回動可能な回動ボードと、
一方の端部が前記回動ボードの細くなった自由端部領域に連結され他方の端部が前記リアパネルの上端縁領域に取り付けられた細長い弾力コードであって、前記回動ボードを前記下側垂直位置にすると引っ張られ緊張する弾力コードと、
前記リアパネルの前記水平折り曲げ線の下に形成された水平スロット開口であって、前記回動ボードの細くなった自由端部を係止すると前記ベースが直立状態に保持されるスロット開口と、
前記回動ボードの自由端部近傍に設けられた開口であって、当該開口に指を挿入して前記回動ボードを下側垂直位置に回動可能であり、これにより前記弾力コードが緊張状態となる開口と、
前記ベースが直立状態のときに当該ベースの頂部に載置可能なディスプレイトレイとを具えることを特徴とするディスプレイスタンド。
【請求項２】
請求項１に記載のディスプレイスタンドにおいて、前記リアパネルが前記フロントパネルより背が高く、前記サイドパネルの上端縁が前記リアパネルの上端縁から前記フロントパネルの上端縁のすぐ後ろまで傾斜しており、前記フロントパネルの上端縁に直立リップ部が形成されており、前記トレイが前記ベースにおいて下側に傾斜した部分の上に配置されたときに当該直立リップ部が前記ディスプレイトレイの前側端部を支持することを特徴とするディスプレイスタンド。
【請求項３】
請求項２に記載のディスプレイスタンドにおいて、前記回動ボードが下側垂直位置にある場合に、前記ベースを折り畳み状態とすべく前記サイドパネルが互いに内側に折り畳み可能となることを特徴とするディスプレイスタンド。
【請求項４】
請求項３に記載のディスプレイスタンドにおいて、前記ベースを折り畳み状態とする際に前記ベースを前記水平折り曲げ線に沿って折り畳み可能であり、これにより前記ベースを前記ディスプレイトレイ内に配置して輸送、運送、収納可能となることを特徴とするディスプレイスタンド。
【請求項５】
請求項３に記載のディスプレイスタンドにおいて、前記水平折り曲げ線に沿って折り畳まれた状態から前記ベースを展開することにより、前記弾力コードの張力により前記回動ボードが自動的に前記直交位置に引っ張られ、前記細くなった自由端部が前記リアパネルの水平スロット開口に係止して前記ベースが自ら直立状態となることを特徴とするディスプレイスタンド。
【請求項６】
請求項５に記載のディスプレイスタンドにおいて、前記サイドパネルの縦の折り曲げ線間に、前記回動ボードの上に渡された第２の弾力コードであって、前記ベースが直立状態にあるときに緊張状態となり、前記回動ボードが下側垂直位置にあるときに自動的に前記サイドパネルを互いに内側に引っ張る第２の弾力コードを具えることを特徴とするディスプレイスタンド。
【請求項７】
単一の厚紙材で構成された空胴で折り畳み可能かつ自ら直立可能な支持ベースであって、フロントパネルと、リアパネルと、２枚の対向するサイドパネルとを具え、上端部より下端部の方が大きく構成された支持ベースと、
前記サイドパネルの中央縦方向の長さ全体に形成された縦の折り曲げ線と、
前記ベースの周囲に形成され前記フロントパネル、リアパネル、サイドパネルのすべてにおいて同一水平面上に設けられた水平折り曲げ線と、
前記リアパネルが前記フロントパネルより背が高く構成され、前記サイドパネルの上端縁が前記リアパネルの上端縁から前記フロントパネルの上端縁の直ぐ後ろまで傾斜しており、前記フロントパネルの上端縁に直立リップ部が形成されており、
前記ベース内に設けられた台形の回動ボードであって、前記フロントパネルに取り付けられた折り曲げ式の前端部と、前記折り曲げ式の前端部から離れた後側自由端部とを具え、前記フロントパネルに対して前記ベースに直交する水平位置と前記フロントパネルに近接する下側垂直位置との間で回動可能な回動ボードと、
前記リアパネルの前記水平折り曲げ線の下に形成された水平スロット開口であって、前記回動ボードが前記ベースを直立状態に保持すべく直交位置にあるときに前記回動ボードの自由端部と係合する水平スロット開口と、
前記回動ボードの自由端部領域と前記リアパネルの上端縁の直ぐ下の位置とに渡された弾力コードと、
前記回動ボードの自由端部近傍に設けられた開口であって、当該開口に指を挿入して前記回動ボードを前記直交位置と下側垂直位置との間で回動可能であり、前記回動ボードを引っ張って前記水平スロット開口から外し、前記弾力コードの張力に逆らって前記下側垂直位置まで下側に回動させると、前記サイドパネルが互いに内側に折り畳み可能となり前記ベースが折り畳み状態となる開口と、
前記ベースが直立状態のときに当該ベースの頂部に配置可能な四角いディスプレイトレイとを具えることを特徴とするディスプレイスタンド。
【請求項８】
請求項７に記載のディスプレイスタンドにおいて、前記サイドパネルの垂直折り曲げ線間に、前記回動ボードの上に渡された第２の弾力コードであって、前記ベースが直立状態にあるときに緊張状態となり、前記回動ボードが下側に引っ張られて前記リアパネルの水平スロット開口との係合が外れたときに、前記サイドパネルを互いに内側に引っ張るよう動作する第２の弾力コードを具えることを特徴とするディスプレイスタンド。
【請求項９】
請求項８に記載のディスプレイスタンドにおいて、前記フロントパネル上端縁の直立リップ部は、前記トレイがベースの下側に傾斜した部分の上に配置されたときに前記ディスプレイトレイの前側端部を支持することを特徴とするディスプレイスタンド。
【請求項１０】
請求項９に記載のディスプレイスタンドにおいて、前記リアパネルの上端縁に形成された回動フラップと、前記回動フラップに設けられた取り付けパッドとを具え、当該取り付けパッドが前記ディスプレイトレイの下面に設けられた対応する取り付けパッドに着脱可能であり、これにより前記トレイが直立状態のベースの上に載置された場合に前記トレイが前記ベースに対し着脱可能となることを特徴とするディスプレイスタンド。
【請求項１１】
請求項１０に記載のディスプレイスタンドにおいて、前記ベースが折り畳み状態においてさらに前記水平折り曲げ線に沿って折り曲げ可能であり、これにより前記ベースを前記ディスプレイトレイ内に配置して輸送、運送、収納できることを特徴とするディスプレイスタンド。
【請求項１２】
請求項１１に記載のディスプレイスタンドにおいて、前記ベースを前記水平折り曲げ線に沿って折り畳まれた状態から展開することにより、前記弾力コードの張力により前記回動ボードが前記下側垂直位置から前記直交位置に回動し、前記ベースが自ら前記直立状態となることを特徴とするディスプレイスタンド。
【発明の詳細な説明】
【技術分野】
【０００１】
本発明は、トレイと自立型支持ベースとを具え、トレイに商品を入れたまま折り畳んで梱包し、輸送、運送、収納できるようにしたディスプレイスタンドに関する。
【背景技術】
【０００２】
厚紙や段ボール材料で構成されたディスプレイスタンドが商品をディスプレイするのによく用いられる。この種のディスプレイスタンドは、商品をディスプレイするための平坦な天板またはトレイを具える。この天板は、収納や移送のためにトレイの上または下に折り畳み可能なベースに支持されている。このベースは大抵トレイに取り付けられまたは一体的に形成され、ベースを直立させるとディスプレイスタンドを使用できるよう構成される。この種のディスプレイスタンドがH. E. Lynchによる米国特許第2,066,844号；W. P. Wojcieshowskiによる米国特許第3,300,166号；W. T. Willisによる米国特許第4,813,536号に開示されている。このようなディスプレイスタンドの主な問題は、商品をディスプレイする場所でベースを手で展開し直立させるのに手間がかかることである。この作業は段ボール材料が固いため、扱いづらくいらだたしいものであり、ベースを展開して直立させるのが困難なものあであった。
【発明の開示】
【発明が解決しようとする課題】
【０００３】
商品包装トレイの下に取り付けられる自立型ベースにおいて、単にトレイを上に持ち上げるだけで自立するベースを開発する試みがなされてきた。この種のディスプレイスタンドがJ. S. Smithによる米国特許第4,726,476号に開示されている。しかしながら、この構成においてベースを直立させる作業において、折り畳まれたベースは常に折り畳んだ状態に戻ろうとするため、自立機構では展開しないという問題があった。この問題は、折り畳まれたベースがトレイに収容された商品の重量により比較的長期間圧迫された場合により顕著になる。
【課題を解決するための手段】
【０００４】
本発明の基本的な目的は、自立型ベースを具えるディスプレイスタンドにおいて、ベースが自ら展開し直立する自立機構を具えるスタンドを提供することにある。
【０００５】
本発明の別の目的は、ベースを折り畳んだ状態にできるとともに、ディスプレイトレイに商品を収容できるようにしたディスプレイスタンドを提供することにある。
【０００６】
本発明の更なる別の目的は、ディスプレイトレイがベースに着脱可能に取り付けられており、ベースを容易にトレイから取り外し、折り畳んでトレイ内に収容できるようにしたディスプレイスタンドを提供することにある。
【発明を実施するための最良の形態】
【０００７】
図面を参照すると、本発明のディスプレイスタンド１０は概略四角形のベース１２の頂部に配置されるディスプレイトレイ１１を具える。このトレイ１１は運送や輸送するために商品を梱包するとともに、スタンドの直立時には商品をディスプレイするのに用いられる。トレイ１１は概略四角形状であり、対向する側壁１５、１６にそれぞれ取っ手１３、１４が設けられ、手で持ち上げられるように構成されている。
【０００８】
ベース１２の水平方向断面は概略四角形であり、底部が僅かに大きく構成され、上に行くにつれ小さくなるテーパ形をなし、ベースが台面上に直立した場合の安定性を確保している。フロントパネル１７はリアパネル１８より低く構成され、トレイ１１がスタンドに載置された場合に内部にディスプレイされた商品がよく見えるよう傾斜が設けられている。２枚のサイドパネル１９、２０は、背の高いリアパネル１８の頂部から背の低いフロントパネル１７の頂部２３の僅かに後側まで傾斜する斜めの上端縁２１、２２を具え、フロントパネル１７の短い直立リップ２４がサイトパネル１９、２０の前端部の上に延在している。この直立リップ２４は、トレイをベースの上に載置したときにトレイ１０の前側端部に対するアバットメントとして作用する。
【０００９】
サイドパネル１９、２０の中央にはそれぞれ、サイドパネルの長さ全体に亘って縦の折り曲げ線２５、２６が設けられており、これによりサイドパネル１９、２０を内側に押して、図４に最もよく示されるように、フロントパネル１７をリアパネル１８に近接させてベースを折り畳んだ状態とすることができる。水平方向の折り曲げ線２７がベース１２の外周全体に、フロント、リア、サイドパネルの頂部近くの水平面上に設けられており、これにより図５、図６に最もよく示されるように、ベース１２を折り畳んだ状態でさらにこの水平方向の折り曲げ線２７に沿って折り畳むことができる。このように折り畳んだ状態とすると、図６に示すように、ベース１２を手軽にトレイ１０内に納めることができる。
【００１０】
概略台形のくさび形回動ボード２８がベース１２内で水平方向に配置されている。この回動ボード２８は、ベース１２が直立状態のときの水平断面形状とほぼ同じ形状を有する。回動ボード２８において、幅広の前端縁２９がフロントパネル１７に取り付けられており、これは図３に点線で示すようにフロントパネルに対して回動可能に構成されている。この回動ボード２８の長さは、直立状態におけるサイドパネル１９および２０の幅より長く構成される。水平方向のスロット開口３９がリアパネル１８の水平折り曲げ線２７の少し下側に設けられている。回動ボード２８の細くなっている後端部３１がこのスロット開口３０に係止し、これにより回動ボード２８がほぼ水平方向に保持され、ベース１２が直立状態に確実に保持される。
【００１１】
回動ボード２８において細い後端部３１の近くに開口３２が設けられており、弾力コード３３の一端が回動ボード２８の後端部３１につながれ、他端がリアパネル１８の頂部エッジ３４の近くに取り付けられている。この弾力コードは、後端部３１がリアパネル１８のスロット開口に係止して回動ボード２８が水平位置にあるときに弛緩状態となる。開口３２に指を挿入して回動ボード２８をスロット開口３０から外し、図３に点線で示すようにフロントパネル１７の方へ回動させ、同時にサイドパネル１９、２０の縦の折り曲げ線２５、２６の部分を押し込んでベース１２を折り畳み状態とすることができる。
【００１２】
第２の弾力コード３４がサイドパネル１９、２０間に、回動ボード２８の上であって縦の折り曲げ線２５、２６の間に渡されている。この弾力コード３４は、ベース１２が直立状態にあるときに緊張状態であり、回動ボード２８が下側に回動したとき、図４に最もよく示されるように、弾力コード３４の張力によって自動的にサイドパネル１９、２０が互いに内側に引き寄せられ、ベースが簡単に折り畳み状態となる。ベースが直立状態のとき、回動ボード２８によりサイドパネル１９、２０が第２の弾力コード３４により内側に引っ張られるのが阻止されている。このベース１２は折り畳み状態にあるとき、図５および図６に示すように、水平折り曲げ線２７に沿って折り畳まれてもよく、これにより図６に示すように商品とともにトレイ１０内に手軽に収容され、運送、輸送、収納することができる。
【００１３】
リアパネル１８の上端縁３４からさらに、回動可能なエクステンションフラップ３５が上に延びている。例えばベルクロ（商標）パッドといった多数の微細な係合突起を持つ取り付けパッド３６、３７をエクステンションフラップ３５の表面に設け、対応するパッド３８、３９を図２に示すようにトレイ１０の下面に設け、これらの取り付けパッドと対応するパッドによりトレイ１０がベース１２上に安定的かつ着脱可能に保持されるようにしてもよい。
【００１４】
ベース１２を折り畳んだ状態から直立させるには、単に水平折り曲げ線２７を戻すだけでよい。弾力コード３３の張力により、自動的に回動ボード２８が水平位置に戻り、その後端部３１がスロット開口３０に係止する。回動ボード２８の形状がベースの断面とほぼ同じであるため、回動ボード２８によりサイドパネル１９、２０が外側に押され、弾力コード３９が延びてベース１２が直立状態となり、この直立状態が保持される。
【００１５】
本発明は、その意図または本質的特徴を超えない範囲で様々な変更を加えることができ、したがって、上述の記載よりも添付のクレームを参照して本発明の範囲を示すものと解すべきである。
【図面の簡単な説明】
【００１６】
【図１】図１は、本発明のディスプレイスタンドを直立状態とした斜視図である。
【図２】図２は、トレイを下から見た斜視図であり、トレイをベースに着脱可能にするための取り付け手段を示す。
【図３】図３は、ベースを上から見た斜視図であり、トレイが取り外され、自立機構のゴムでつながれた台形回動ボードを示す。
【図４】図４は、ベースを上から見た斜視図であり、トレイが取り外され、回動ボードが引き下げられサイドパネルが部分的にサイドパネル間に連結された弾力コードにより内側に引っ張られた状態を示す。
【図５】図５は、折り畳まれた状態のベースを前から見た斜視図である。
【図６】図６は、ベースを折り畳んで全体をトレイに納めた状態を示す図である。
【図１】
2007504849.tif 000003
【図２】
2007504849.tif 000004
【図３】
2007504849.tif 000005
【図４】
2007504849.tif 000006
【図５】
2007504849.tif 000007
【図６】
2007504849.tif 000008
【手続補正書】
【提出日】平成18年5月31日(2006.5.31)
【手続補正１】
【補正対象書類名】明細書
【補正対象項目名】０００８
【補正方法】変更
【補正の内容】
【０００８】
ベース１２の水平方向断面は概略四角形であり、底部が僅かに大きく構成され、上に行くにつれ小さくなるテーパ形をなし、ベースが台面上に直立した場合の安定性を確保している。フロントパネル１７はリアパネル１８より低く構成され、トレイ１１がスタンドに載置された場合に内部にディスプレイされた商品がよく見えるよう傾斜が設けられている。２枚のサイドパネル１９、２０は、背の高いリアパネル１８の頂部から背の低いフロントパネル１７の頂部２３の僅かに後側まで傾斜する斜めの上端縁２１、２２を具え、フロントパネル１７の短い直立リップ２４がサイトパネル１９、２０の前端部の上に延在している。この直立リップ２４は、トレイをベースの上に載置したときにトレイ１１の前側端部に対するアバットメントとして作用する。
【手続補正２】
【補正対象書類名】明細書
【補正対象項目名】０００９
【補正方法】変更
【補正の内容】
【０００９】
サイドパネル１９、２０の中央にはそれぞれ、サイドパネルの長さ全体に亘って縦の折り曲げ線２５、２６が設けられており、これによりサイドパネル１９、２０を内側に押して、図４に最もよく示されるように、フロントパネル１７をリアパネル１８に近接させてベースを折り畳んだ状態とすることができる。水平方向の折り曲げ線２７がベース１２の外周全体に、フロント、リア、サイドパネルの頂部近くの水平面上に設けられており、これにより図５、図６に最もよく示されるように、ベース１２を折り畳んだ状態でさらにこの水平方向の折り曲げ線２７に沿って折り畳むことができる。このように折り畳んだ状態とすると、図６に示すように、ベース１２を手軽にトレイ１１内に納めることができる。
【手続補正３】
【補正対象書類名】明細書
【補正対象項目名】００１１
【補正方法】変更
【補正の内容】
【００１１】
回動ボード２８において細い後端部３１の近くに開口３２が設けられており、弾力コード３３の一端が回動ボード２８の後端部３１につながれ、他端がリアパネル１８の頂部エッジの近くに取り付けられている。この弾力コードは、後端部３１がリアパネル１８のスロット開口に係止して回動ボード２８が水平位置にあるときに弛緩状態となる。開口３２に指を挿入して回動ボード２８をスロット開口３０から外し、図３に点線で示すようにフロントパネル１７の方へ回動させ、同時にサイドパネル１９、２０の縦の折り曲げ線２５、２６の部分を押し込んでベース１２を折り畳み状態とすることができる。
【手続補正４】
【補正対象書類名】明細書
【補正対象項目名】００１３
【補正方法】変更
【補正の内容】
【００１３】
リアパネル１８の上端縁からさらに、回動可能なエクステンションフラップ３５が上に延びている。例えばベルクロ（商標）パッドといった多数の微細な係合突起を持つ取り付けパッド３６、３７をエクステンションフラップ３５の表面に設け、対応するパッド３８、３９を図２に示すようにトレイ１１の下面に設け、これらの取り付けパッドと対応するパッドによりトレイ１１がベース１２上に安定的かつ着脱可能に保持されるようにしてもよい。
【国際調査報告】
2007504849.tif 000009
2007504849.tif 000010
2007504849.tif 000011